(57)【要約】【課題】カラーが装着された台座部を上方又は下方に反らせた状態で台座部を樹脂成形しても、カラーが挿通される金型の突起部が抜けなくなることを防止できる。【解決手段】    板状をなし、カラー装着孔１２が開口して設けられている台座部１０と、カラー装着孔１２に装着され、筒状をなすカラー２０と、を備える端子台１であって、カラー２０の内面は、カラー装着孔１２の一方の開口部１３からカラー装着孔１２の他方の開口部１３に向けて、内径が小さくなるテーパー状をなしている。【選択図】図６
2019016447.tif 000002
【特許請求の範囲】
【請求項１】
板状をなし、カラー装着孔が開口して設けられている台座部と、
前記カラー装着孔に装着され、筒状をなすカラーと、を備える端子台であって、
前記カラーの内面は、前記カラー装着孔の一方の開口部から前記カラー装着孔の他方の開口部に向けて、内径が小さくなるテーパー状をなしている端子台。
【請求項２】
前記カラーの内面は、前記他方の開口部から前記一方の開口部に向けて、内径が小さくなるテーパー状をなしている請求項１に記載の端子台。
【請求項３】
前記カラーは、前記台座部内に埋設される埋設部を有しており、
前記埋設部の外面は、前記一方の開口部から前記他方の開口部に向けて、外径が大きくなるテーパー状をなし、且つ、前記他方の開口部から前記一方の開口部に向けて、外径が大きくなるテーパー状をなしている請求項１又は請求項２に記載の端子台。
【請求項４】
前記カラーは、前記一方の開口部から前記カラーの軸方向に向けて突出する一方の突出部と、前記他方の開口部から前記カラーの軸方向に向けて突出する他方の突出部と、を有しており、
前記一方の突出部は、前記一方の開口部の開口縁に向けて外径が大きくなるテーパー状をなしており、
前記他方の突出部は、前記他方の開口部の開口縁に向けて外径が大きくなるテーパー状をなしている請求項１から請求項３のいずれか一項に記載の端子台。
【発明の詳細な説明】
【技術分野】
【０００１】
本明細書によって開示される技術は、端子台に関する。
【背景技術】
【０００２】
従来の端子台の一例として、特開２０１１−１６０６１９号（下記特許文献１）に記載の回転電機用端子台が知られている。この回転電機用端子台は、板状をなす台座部と、台座部上に設けられた信号用コネクタとを備えている。台座部の四隅には、インサート成形により、４つのカラーが埋め込まれている。
【０００３】
台座部にインサート成形により４つのカラーを埋め込む際、一般的に、台座部の金型の四隅に、凸部を設けおく。次に、金型の四隅の凸部にそれぞれカラーを挿通しておき、金型に樹脂を流し込む。これにより、４つのカラーが台座部に埋め込まれる。
【先行技術文献】
【特許文献】
【０００４】
【特許文献１】特開２０１１−１６０６１９号公報
【発明の概要】
【発明が解決しようとする課題】
【０００５】
一般的に、樹脂成形すると部位ごとに樹脂の量が偏るため、これにより、板状の台座部が上方又は下方のいずれかの方向に反ってしまう。この反りを解消するには、予め台座部を、反る方向と反対の方向に反らせた状態で成形する必要がある。
しかしながら、台座部を反らせた状態で成形するには、金型の台座部の部分に傾斜を持たせる必要があるが、金型の台座部の部分に傾斜を持たせると金型の四隅の突起部も傾かせる必要がある。そのため、金型に樹脂を流し込み、成形後に金型を抜こうとすると、突起部がカラーに引っかかって金型が抜けなくなるという問題があった。
【課題を解決するための手段】
【０００６】
本明細書で開示される端子台は、板状をなし、カラー装着孔が開口して設けられている台座部と、前記カラー装着孔に装着され、筒状をなすカラーと、を備える端子台であって、前記カラーの内面は、一方の開口部から他方の開口部に向けて、内径が小さくなるテーパー状をなしている。
【０００７】
板状の台座部を樹脂成形により形成すると、台座部内の樹脂の偏りにより、上方または下方のいずれかに反る場合がある。このような反りを解消するには、反る方向と反対の方向に予め台座部を反らせて樹脂成形する必要がある。そのためには、台座部の金型に傾きを持たせることで、台座部を反対方向に反らせることができるが、金型のカラーを挿通する突起部も併せて傾かせる必要がある。このため、従来のように、カラーの内面にテーパーが設けられていないと、金型の突起部がカラーの内面に引っかかり、カラーが金型の突起部から抜けなくなってしまう。しかし、上記構成のように、カラーの内面にテーパーを持たせると、金型の突起部がカラーの内面に引っかかることなく、カラーを突起部から抜くことができる。
【０００８】
また、前記カラーの内面は、前記他方の開口部から前記一方の開口部に向けて、内径が小さくなるテーパー状をなしていることとしても良い。
【０００９】
このように構成することで、金型の突起部にカラーをセットする際、カラーの向きに関わらずカラーをセットすることが可能となり、カラーをセットする際の作業性を向上させることができる。
【００１０】
また、前記カラーは、前記台座部内に埋設される埋設部を有しており、前記埋設部の外面は、前記一方の開口部から前記他方の開口部に向けて、外径が大きくなるテーパー状をなし、且つ、前記他方の開口部から前記一方の開口部に向けて、外径が大きくなるテーパー状をなしていることとしても良い。
【００１１】
例えば、カラーに対して応力が加わっても、カラーの埋設部の外面に設けられたテーパー状の部分がカラー装着孔の内面に引っかかることで、カラーが抜けずに保持される。このように、カラーの外面にテーパー状の部分を設けることで、カラーの保持力を向上させることができる。
【００１２】
また、前記カラーは、前記一方の開口部から前記カラーの軸方向に向けて突出する一方の突出部と、前記他方の開口部から前記カラーの軸方向に向けて突出する他方の突出部と、を有しており、前記一方の突出部は、前記一方の開口部の開口縁に向けて外径が大きくなるテーパー状をなしており、前記他方の突出部は、前記他方の開口部の開口縁に向けて外径が大きくなるテーパー状をなしていることとしても良い。
【００１３】
カラーにネジを挿通して端子台を固定する際、ネジの頭部が台座部の樹脂部を傷つけないようにするため、カラーの端部を、カラー装着孔の開口部から突出させる場合がある。従来のように、カラーの突出部にテーパーが設けられていないとすると、カラーが、金型の突起部に引っかかり、カラーが金型から抜けなくなってしまう。しかし、上記構成のように、カラーの突出部に開口部の開口縁に向けて外径が大きくなるテーパーを設けることで、カラーを突起部から抜くことができる。
【発明の効果】
【００１４】
本明細書に開示される端子台によれば、カラーが装着された台座部を上方又は下方に反らせた状態で台座部を樹脂成形しても、カラーが挿通される金型の突起部が抜けなくなることを防止できる。
【図面の簡単な説明】
【００１５】
【図１】端子台の斜視図
【図２】端子台の平面図
【図３】図３の台座部が反っていない状態におけるＡ−Ａ断面図
【図４】図３の台座部が下方に反っている状態におけるＡ−Ａ断面図
【図５】図３の台座部が上方に反っている状態におけるＡ−Ａ断面図
【図６】図３の台座部が上方に反っている状態から反っていない状態への変化を表したＡ−Ａ断面図
【図７】金型に樹脂を注入後のカラー付近の断面図
【図８】従来のカラーを用いた場合における金型に樹脂注入後のカラー付近の断面図
【発明を実施するための形態】
【００１６】
＜実施形態＞
図１から図８を参照して本実施形態を説明する。
本実施形態の端子台１は、図１に示すように、台座部１０と、ハウジング１１とを備えている。以降の説明では、図３の図示上側を上方向とし、図示右側を右方向とする。
【００１７】
台座部１０は、図１に示すように、長方形状の板状をなしている。ハウジング１１は、平面視方形状をなしており、台座部１０の中央から上方に突出して設けられている。台座部１０及び、ハウジング１１は、樹脂成形により一体に形成されている。
【００１８】
後述する金型３０に樹脂を注入直後の台座部１０及びハウジング１１は、図１に示すように平行な形状をなしているが、端子台１内の樹脂の偏りにより、一定時間が経過し樹脂が固まると、上方又は下方のいずれかの方向に反ってしまう。例えば、本実施例においては、図４に示すように、端子台１ａの台座部１０ａ及びハウジング１１ａは下方に反った形状となる。この反りを解消するには、図５に示すように、端子台１ｂの台座部１０ｂ及びハウジング１１ｂを、予め上方に反らせた形状で樹脂成形を行う。これにより、一定時間が経過し樹脂が固まると、図６に示すように、台座部１０及びハウジング１１は平行な形状となる。
【００１９】
台座部１０の四隅には、カラー装着孔１２がそれぞれ開口して設けられている。それぞれのカラー装着孔１２には、金属製のカラー２０がインサート成形により装着されている。
【００２０】
カラー２０は、図１、図３に示すように、筒状をなしており、カラー装着孔１２の上下の開口部１３からそれぞれ上下に突出する突出部２１と、カラー装着孔１２の内部に埋設されている埋設部２２とから構成されている。
【００２１】
カラー２０の内面には、図３に示すように、カラー２０の上側の端部２５から、下方に向けて内径が小さくなる内面テーパー部２３が設けられている。また、カラー２０の内面には、カラー２０の下側の端部２５から上方に向けて内径が小さくなる内面テーパー部２３が設けられている。このように構成することで、後述する下側の金型５０の突起部５１にカラー２０をセットする際、カラー２０の向きに関わらずカラー２０をセットすることが可能となり、カラー２０を下側の金型５０にセットする際の作業性を向上させることができる。
【００２２】
カラー２０の外面には、図３に示すように、カラー２０の上側の端部２５から、下方に向けて外径が大きくなる外面テーパー部２４が設けられている。また、カラー２０の外面には、カラー２０の下側の端部２５から上方に向けて外径が大きくなる外面テーパー部２４が設けられている。このように構成することで、例えば、カラー２０に対して応力が加わっても、外面テーパー部２４がカラー装着孔１２の内面に引っかかることで、カラー２０が抜けずに保持される。このように、外面テーパー部２４を設けることで、カラー２０の保持力を向上させることができる。
【００２３】
内面テーパー部２３の傾斜角度及び、外面テーパー部２４の傾斜角度は、上方に反らせた状態における台座部１０ｂの傾斜角度よりも大きくなっている。これにより、端子台１の樹脂成形の際、カラー２０に挿入された後述する上側の金型４０の突起部４１及び下側の金型５０の突起部５１をカラー２０から引き抜くことができるようになる。
【００２４】
端子台１の樹脂成形は、図７に示すように、金型３０に樹脂を注入して行う。金型３０は、上側の金型４０と下側の金型５０とから構成されている。
【００２５】
下側の金型５０の台座部１０を形成する台座面５２は、台座部１０を上方に反らせるため、やや傾斜を持たせてある。下側の金型５０には、台座面５２から法線方向に向けて突出する突起部５１が設けられている。また、突起部５１の基端部周辺には、台座面５２から凹んで溝状をなす凹部５３が設けられている。
【００２６】
下側の金型５０の突起部５１は、台座面５２の法線方向上側に向かう程細くなる円錐台状をなしている。また、下側の金型５０の凹部５３は、突起部５１の外周面と径方向に対向する内周面５４を有し、この内周面５４は、台座面５２の法線方向下側に向かうほど径が小さくなるテーパー状をなしている。
【００２７】
上側の金型４０は、下側の金型５０と上下対照となっており、下側の金型５０と同様、上側の金型４０にも、突起部４１、台座面４２、及び凹部４３が設けられている。また、上側の金型４０の凹部４３は、下側の金型５０の凹部５３と同様、突起部４１の外周面と径方向に対抗する内周面４４を有している。
【００２８】
次に、本実施形態の作用について説明する。
図７に示すように、カラー２０を下側の金型５０の突起部５１に挿入すると、カラー２０の下側の端部２５は下側の金型５０の凹部５３の底面に当接する。
また、カラー２０の下側の外面テーパー部２４は、下側の金型５０の凹部５３の内周面５４に当接し、下側の内面テーパー部２３は、下側の金型５０の突起部５１の外周面に当接する。
【００２９】
次に、上側の金型４０を下方に降ろし、上側の金型４０の突起部４１をカラー２０に挿入すると、カラー２０の上側の端部２５は上側の金型４０の凹部４３の天井面に当接する。また、カラー２０の上側の外面テーパー部２４は、上側の金型４０の凹部４３の内周面４４に当接し、上側の内面テーパー部２３は、上側の金型４０の突起部４１の外周面に当接する。
【００３０】
次に、金型３０に樹脂を注入する。樹脂が固まったら、上側の金型４０を上げる。この時、カラー２０には内面テーパー部２３、及び外面テーパー部２４が設けられているため、アンダーカットにならずに、上側の金型４０の突起部４１をカラー２０から抜くことができる。同様に、下側の金型５０の突起部５１もカラー２０から抜くことができる。端子台１ｂを金型３０から抜き、一定時間が経過すると、図６に示すように、端子台１ｂの台座部１０ｂ及びハウジング１１ｂは下方に反り、平行な形状（台座部１０及びハウジング１１の形状）となる。
【００３１】
一方、従来のように、内面テーパー部２３及び外面テーパー部２４が設けられていない構成のカラー２０ａを金型３０ａにセットし、樹脂成形したとすると、図８に示すように、上側の金型４０ａの突起部４１ａ及び凹部４３ａがカラー２０ａの内面及び外面に引っかかるため、上側の金型４０ａをカラー２０ａから引き抜くことはできない。同様に、下側の金型５０ａの突起部５１ａも、カラー２０ａから引き抜くことはできない。
【００３２】
以上のように本実施形態によれば、板状の台座部１０を樹脂成形により形成すると、台座部１０内の樹脂の偏りにより、上方または下方のいずれかに反る場合がある。このような反りを解消するには、反る方向と反対の方向に予め台座部１０を反らせて樹脂成形する必要がある。そのためには、台座部１０の金型３０に傾きを持たせることで、台座部１０を反対方向に反らせることができるが、金型３０のカラー２０を挿通する突起部４１、５１も併せて傾かせる必要がある。このため、従来のように、カラー２０ａの内面にテーパーが設けられていないと、金型３０ａの突起部４１ａ、５１ａがカラー２０ａの内面に引っかかり、カラー２０ａが金型３０ａの突起部４１ａ、５１ａから抜けなくなってしまう。しかし、上記構成のように、カラー２０の内面にテーパー（内面テーパー部２３）を持たせると、金型３０の突起部４１、５１がカラー２０の内面に引っかかることなく、カラー２０を突起部４１、５１から抜くことができる。
【００３３】
また、金型３０の突起部５１にカラー２０をセットする際、カラー２０の向きに関わらずカラー２０をセットすることが可能となり、カラー２０をセットする際の作業性を向上させることができる。
【００３４】
例えば、カラー２０に対して応力が加わっても、カラー２０の埋設部２２の外面に設けられたテーパー状の部分（外面テーパー部２４）がカラー装着孔１２の内面に引っかかることで、カラー２０が抜けずに保持される。このように、カラー２０の外面にテーパー状の部分（外面テーパー部２４）を設けることで、カラー２０の保持力を向上させることができる。
【００３５】
また、カラー２０にネジを挿通して端子台１を固定する際、ネジの頭部が台座部１０の樹脂部を傷つけないようにするため、カラー２０の端部２５を、カラー装着孔１２の開口部１３から突出させる場合がある。従来のように、カラー２０ａの突出部２１ａにテーパーが設けられていないとすると、カラー２０ａが、金型３０ａの突起部４１ａ、５１ａに引っかかり、カラー２０ａが金型３０ａから抜けなくなってしまう。しかし、上記構成のように、カラー２０の突出部２１に開口部１３の開口縁１４に向けて外径が大きくなるテーパー（外面テーパー部２４）を設けることで、カラー２０を突起部４１、５１から抜くことができる。
【００３６】
＜他の実施形態＞
本明細書によって開示される技術は上記記述及び図面によって説明した実施形態に限定されるものではなく、例えば次のような種々の態様も含まれる。
（１）上記実施形態では、カラー２０は、カラー装着孔１２の上下の開口部１３からそれぞれ上下に突出する突出部２１を有していたが、突出させない構成としても良い。
（２）上記実施形態では、カラー２０の埋設部２２の外面はテーパー状をなしていることとしたが、埋設部の外面の形状は問わず、テーパーを設けない構成としても良い。また、カラーの台座部への保持力を確保するために、埋設部の外面にフランジを設けてカラーの保持力を向上させる構成としても良い。
（３）カラー２０の内面テーパー部２３は、上側の端部２５から下方に向かって内径が小さくなり、且つ、下側の端部２５から上方に向かって内径が小さくなることとしたが、上側又は下側のいずれか一方のみから他方に向かって内径が小さくなることとしても良い。
【符号の説明】
【００３７】
１，１ａ，１ｂ…端子台
１０，１０ａ，１０ｂ…台座部
１２…カラー装着孔
１３…開口部
１４…開口縁
２０，２０ａ…カラー
２１，２１ａ…突出部
２２…埋設部
【図１】
2019016447.tif 000003
【図２】
2019016447.tif 000004
【図３】
2019016447.tif 000005
【図４】
2019016447.tif 000006
【図５】
2019016447.tif 000007
【図６】
2019016447.tif 000008
【図７】
2019016447.tif 000009
【図８】
2019016447.tif 000010